(57)【要約】【課題】扉の裏側を含む冷蔵庫の六内面に冷気循環ダクトを設け、扉裏側のダクトと冷蔵室の開口周面とが密接状態にして冷気の漏洩を防止し、効率的で均等冷却を行い得る業務用大形冷蔵庫を提供する。【解決手段】冷蔵庫１０の天地、左右および背部の内面と扉１４の裏面にダクト１３，１３ｂを形成し、扉１４を閉じた状態で扉１４の裏面に設けたダクト１３ｂと上記冷蔵庫１０の天地、左右および背部の内面に設けたダクト１３とが連通状態となるようにし、蒸発器１１で発生した冷気を、上記ダクト１３，１３ｂ内を強制循環させながら庫内を冷却する業務用大形冷蔵庫において、上記扉１４の裏面に設けたダクト１３ｂの、冷蔵室を向く側の面と冷蔵室２０の開口部周面とをコイルスプリング１７ｈやパッキング１８を介在させて密接するように構成してなる。【選択図】図１
2005249334.tif 000002
【特許請求の範囲】
【請求項１】
冷蔵庫の天地、左右および背部の内面と扉の裏面にダクトを形成し、扉を閉じた状態で扉の裏面に設けたダクトと上記冷蔵庫の天地、左右および背部の内面に設けたダクトとを連通状態とし、蒸発器で発生した冷気を、上記ダクト内を強制循環させながら庫内を冷却する業務用大形冷蔵庫において、上記扉の裏面に設けたダクトの、冷蔵室を向く側の面と冷蔵室の開口部周面とが密接するように構成したことを特徴とする業務用大形冷蔵庫。
【請求項２】
上記扉の裏面に設けたダクトの、庫内を向く側を構成する部材は、その部材と他の部分を構成する部材との間で浮き構造を構成し、その庫内を向く側を構成する部材を冷蔵室の開口部周面に向けて付勢したことを特徴とする請求項１に記載の業務用大形冷蔵庫。
【請求項３】
上記庫内を向く側を構成する部材と他の部分を構成する部材との間にスプリングを介在してなることを特徴とする請求項１または２に記載の業務用大形冷蔵庫。
【請求項４】
上記スプリングの付勢力を調整可能にしたことを特徴とする請求項１乃至３のいずれかに記載の業務用大形冷蔵庫。
【請求項５】
上記扉の裏面に設けたダクトの庫内を向く面と冷蔵室の開口部周面との間にパッキングを介在させたことを特徴とする請求項１乃至４のいずれかに記載の業務用大形冷蔵庫。
【発明の詳細な説明】
【技術分野】
【０００１】
この発明は、扉を開いたときは開口部でエアーカーテンが作用し、扉を閉じたときは扉の裏面を含む庫内の六面から冷却する冷気強制循環形の業務用大形冷蔵庫に関する。
【背景技術】
【０００２】
本発明者は特願２００３−１１２２４号で図３に示すように「冷蔵庫１０の上部奥に蒸発器１１とファン１２が設置され、蒸発器１１で発生した冷気は庫内の天地、左右および後面に配置されたダクト１３を通じて強制循環するが、扉１４の裏側にもダクト１３ｂが一体に設けられ天地、左右および背部のダクト１３と扉１４の裏側のダクト１３ｂとが接する部分には連通口１５が開けられ、扉が閉じられたとき、冷気は扉１４の裏側のダクト１３ｂにも流れるようにし、本体側の連通口１５にはドラム形ブロワー１６が設置され、強制的に扉１４の裏側に設けたダクト１３ｂに冷気が送り込まれるようになり、扉１４を開くとエアーカーテンとして作用する業務用大形冷蔵庫」を提案した。
【発明の開示】
【発明が解決しようとする課題】
【０００３】
上記提案によって、冷蔵庫の扉を開いたときは、冷蔵室の開口部にエアーカーテンが作用し、扉を閉じたときは、庫内の六面に形成された冷気循環ダクトを、冷気が循環して効率よく均等に冷蔵室の冷却（保冷）が行われることとなった。
【０００４】
しかし、その後の検討のなかで、冷蔵室の開口部と扉の裏側に設けたダクトの冷蔵室側の面との間に僅かな隙間があって、その隙間から漏れた冷気が冷蔵室内で乱気流となって流入し、均等な冷却を阻害する原因になっていることが判明した。
【０００５】
上記の状況に鑑みこの発明は、冷蔵室の開口部周面と扉の裏側に設けたダクトの冷蔵室側の面とが密接状態になるようにして冷気の循環をスムーズにし、漏洩しないようにして冷蔵室内を効率的で均等に冷却し得る業務用大形冷蔵庫を提供することを課題とする。
【課題を解決するための手段】
【０００６】
上記課題を解決するめためにこの発明は、冷蔵庫の天地、左右および背部の内面と扉の裏面にダクトを形成し、扉を閉じた状態で扉の裏面に設けたダクトと上記冷蔵庫の天地、左右および背部の内面に設けたダクトとが連通状態となるようにし、蒸発器で発生した冷気を、上記ダクト内を強制循環させながら庫内を冷却する業務用大形冷蔵庫において、上記扉の裏面に設けたダクトの、冷蔵室を向く側の面と冷蔵室の開口部周面とが密接するように構成したもので、具体的には、上記扉の裏面に設けたダクトの、庫内を向く側を構成する部材と他の部分を構成する部材との間で浮き構造を構成し、その庫内を向く側を構成する部材を、スプリングのようなもので、冷蔵室の開口部周面に向けて付勢したもので、必要ならば、上記スプリングの付勢力を調整可能にし、ダクトの庫内を向く面と冷蔵室の開口部周面との間にパッキングを介在させたものである。
【発明の効果】
【０００７】
上記の如く構成することにより冷蔵室の開口部周面と扉の裏側のダクトとが向き合う部分に隙間ができず、ダクト内を強制循環する冷気は漏洩することなくスムーズに循環し、冷蔵室を効率よく均等に冷却、保冷できるようになり、扉を開いたときは冷蔵室の開口部にエアーカーテンが作用して冷蔵室内の温度上昇を防止する。
【発明を実施するための最良の形態】
【０００８】
次にこの発明の実施の形態を、図面を参照しながら説明する。図１で示すように、冷蔵庫１０の上部には冷媒を圧縮する圧縮機Ｐと圧縮された冷媒を熱交換する凝縮器Ｃと凝縮器Ｃを空冷するためのファンモーターＦが据え付けられている。
【０００９】
冷蔵庫内の上部には蒸発器１１と冷気を強制循環させるファン１２が取り付けられ、庫内の天地、左右および背部には冷気を循環させるダクト１３が形成され、扉１４の裏側にもダクト１３ｂが設けられて冷蔵室の内面全体に冷気が循環するようになっている。
【００１０】
業務用大形冷蔵庫１０の庫内は幾つかの冷蔵室２０に区画され、各冷蔵室２０に扉１４が取り付けられ、扉１４の裏側には冷気を循環させるダクト１３ｂが形成され、扉１４を閉じた状態で、連通口１５を介して冷蔵室内面のダクト１３と連通状態になる。
【００１１】
なお、扉１４の上側にはドラム形ブロワー１６が設けられて、冷蔵室内面のダクト１３を循環する冷気を扉１４の裏側のダクト１３ｂに強制循環させ、扉１４を開いたときは冷蔵室の開口部にエアーカーテンができるようにしてある。
【００１２】
扉１４の裏側のダクト１３ｂには、その庫内を向く面を冷蔵室２０の開口部周面に密接させる付勢手段１７が付設され、この付勢手段１７は、扉１４の裏側に取り付け部材１７ａが取り付けられ、この取り付け部材１７ａに鍔つきスリーブ１７ｃとインナースリーブ１７ｄの支持部材１７ｂが取り付けられ、上記鍔つきスリーブ１７ｃは支持部材１７ｂに固定され、インナースリーブ１７ｄは鍔つきスリーブ１７ｃ内で摺動可能になっている。
【００１３】
扉１４の裏側のダクト１３ｂの冷蔵室２０を向く部材１３ｂ’には、雌ネジ支持部材１７ｅが取り付けられ、雌ネジ１７ｆにはインナースリーブ１７ｄを貫通したビスネジ１７ｇの先端が螺合し、インナースリーブ１７ｄの外側にはコイルスプリング１７ｈが嵌り、ダクト１３ｂの冷蔵室２０を向く部材１３ｂ’を冷蔵室２０の開口部周面１９に向けて付勢している。なお、ビスネジを回し調節することによりコイルスプリング１７ｈの付勢力を調整することができる。
【００１４】
ダクト１３ｂの庫内を向く部材１３ｂ’の冷蔵室２０の開口部周面１９に対応する周囲には、例えば発泡ウレタン樹脂製のパッキング１８が取り付けられて、扉１４を閉じたとき冷蔵室２０の開口部周面１９とダクト１３ｂの冷蔵室２０を向く部材１３ｂ’との密着を良好にし、ダクト１３，１３ｂ内を循環する冷気が漏洩しないようになっている。
【００１５】
なお、各ダクト１３、１３ｂの庫内を向く面には冷蔵室２０を均等に冷却するための調節可能な通気孔Ｈが穿設されている。
【産業上の利用可能性】
【００１６】
以上説明したように、この発明に係る業務用大形冷蔵庫は、冷蔵室の天地、左右および背部と扉の裏面にダクトを設けて、六面に冷気を強制循環させて冷蔵室内を効率よく均等に冷却するようにしたもので、さらに、扉を閉じた状態では冷蔵室内面のダクトと、扉の裏側に設けたダクトとの連通状態が良好になり冷気の漏洩を防止したので一層効率的で均等な冷却が可能となり、扉を開くと冷蔵室の開口部分でエアーカーテンが作用して冷蔵室の温度上昇を防止する。
【図面の簡単な説明】
【００１７】
【図１】この発明に係る冷蔵庫の縦断面図
【図２】同扉裏側ダクトの付勢手段の説明図（ａ）扉を閉じる前（ｂ）扉を閉じた状態を示す
【図３】従来技術に係る冷蔵庫の縦断面図
【符号の説明】
【００１８】
１０  冷蔵庫
１１  蒸発器
１２  ファン
１３  ダクト（本体側の）
１３b   ダクト（扉裏側の）
１４  扉
１５  連通口
１６  ドラム形ブロワー
１７  付勢手段
１７ａ  取り付け部材
１７ｂ  支持部材
１７ｃ  鍔つきスリーブ
１７ｄ  インナースリーブ
１７ｅ  雌ネジ支持部材
１７ｆ  雌ネジ
１７ｇ  ビスネジ
１７ｈ  コイルスプリング
１８  パッキング
１９  開口部周面
２０  冷蔵室
Ｃ  凝縮器
Ｆ  ファンモーター
Ｈ  通気孔
Ｐ  圧縮機
【図１】
2005249334.tif 000003
【図２】
2005249334.tif 000004
【図３】
2005249334.tif 000005